(57)【要約】【課題】ＣＡＥ解析結果レポートとして表示部に表示された２次元モデルのＣＡＥ結果図を、３次元ビューイング可能とする。【解決手段】  ＣＡＥの解析結果を自動でレポート出力する機能を有するＣＡＥプログラム３であって、レポートの自動出力に際して、３次元ビューイングに対応したフォーマットでＣＡＥ結果をファイル出力する３次元ビューイングファイル出力部４と、前記ファイルを３次元ビューイング可能とする記述でレポートファイルとして出力するレポート出力部５とを備えることで、出力されたレポートのＣＡＥ結果図を３次元ビューイング可能とすることを特徴とするものであり、これによりレポートだけで３次元ビューイングが可能となる。【選択図】  図１
2006079539.tif 000002
【特許請求の範囲】
【請求項１】
ＣＡＥの解析結果を自動でレポート出力する機能を有するＣＡＥプログラムであって、レポートの自動出力に際して、３次元ビューイングに対応したフォーマットでＣＡＥ結果をファイル出力する機能と、前記ファイルを３次元ビューイング可能とする記述でレポートファイルとして出力する機能とを備えることで、出力されたレポートのＣＡＥ結果図を３次元ビューイング可能とすることを特徴とするＣＡＥプログラム。
【発明の詳細な説明】
【技術分野】
【０００１】
本発明は、製品の品質（強度等）を評価するためのコンピュータシミュレーションの分野、および図面品質向上のために設計を検討するコンピュータシミュレーションの分野において利用されるＣＡＥプログラムに関する。
【背景技術】
【０００２】
種々の製品の設計においてＣＡＥ解析の技術を利用する場合、従来は、解析の専門家が複雑な強度計算等を行って製品を設計していた。すなわち、ＣＡＥ解析では、微分方程式で表現される物理法則をベースとしているため、ユーザに微分方程式の理解と数値解析に必然的に要求される数学的な約束ごとの理解とが要求されるので、誰でもが簡単にＣＡＥ解析を行えるものではなかった。
【０００３】
そこで、本発明者は、設計者が簡単にＣＡＥ解析を行えるようにしたＣＡＥ解析システムをすでに提案している（特許文献１参照）。しかし、このシステムにおいては、ＣＡＥ実施後に自らＣＡＥ報告書を作成する必要があった。そこで、本発明者はさらにこれを改良し、解析結果のレポート出力が可能であり、かつ、レポート結果を過去事例データベースとして活用できる汎用解析システムを提案している（特許文献２参照）。
【特許文献１】特開２００１−２９０８４６号公報
【特許文献２】特開２００３−３１６８３２号公報
【発明の開示】
【発明が解決しようとする課題】
【０００４】
上記特許文献２の汎用解析システムによれば、解析結果のレポートを出力する際、その解析結果図を２次元の静止画で表示手段に表示するようになっている。しかしながら、この２次元の静止画では、３次元全体をイメージすることが難しいといった問題が残されていた。また、結局のところ３次元全体を見る必要が生じた場合のために、容量の大きなＣＡＥ結果ファイルを別途保管しておく必要があった。
【０００５】
本発明はかかる問題点を解決すべく創案されたもので、その目的は、容量の大きなＣＡＥ結果ファイルを別途保管しておく必要がなく、簡単な構成で３次元ビューイングを可能としたＣＡＥプログラムを提供することにある。
【課題を解決するための手段】
【０００６】
上記課題を解決するため、本発明のＣＡＥプログラムは、ＣＡＥの解析結果を自動でレポート出力する機能を有するＣＡＥプログラムであって、レポートの自動出力に際して、３次元ビューイングに対応したフォーマットでＣＡＥ結果をファイル出力する機能と、前記ファイルを３次元ビューイング可能とする記述でレポートファイルとして出力する機能とを備えている。これにより、出力されたレポートのＣＡＥ結果図を３次元ビューイング可能とすることを特徴とするものである。これにより、レポートだけで３次元ビューイングが可能となる。
【発明の効果】
【０００７】
本発明によれば、レポートだけで３次元ビューイングが可能となるので、容量の大きなＣＡＥ結果ファイルを別途保管しておく必要がなく、簡単な構成で３次元ビューイングを実現することができる。
【発明を実施するための最良の形態】
【０００８】
以下、本発明の実施の形態について、図面を参照して説明する。
【０００９】
図１は、本発明のＣＡＥプログラムを搭載したＣＡＥシステムの一実施の形態を概念的に示したブロック図である。
【００１０】
このＣＡＥシステムは、大別すると、解析モデルや解析結果やＣＡＥレポートなどを表示する表示部１と、表示部１に表示された項目を操作する際に用いられるマウスやキーボードなどからなる入力部２と、ＣＡＥプログラム格納部３と、後述する出力されたレポートを格納するレポート格納部６とからなる。また、ＣＡＥプログラム格納部３は、形状作成、メッシュ作成、材料設定、条件設定、解析実行、結果表示などの通常のＣＡＥ解析を行うＣＡＥ処理部３１と、ＣＡＥ結果を３次元ビューイングに対応したフォーマットでファイル出力する３次元ビューイングファイル出力部４と、ＣＡＥ結果を含むＣＡＥ情報をレポート出力する際に、３次元ビューイングファイルを３次元ビューイング可能とする記述でレポートファイルとして自動出力するレポート出力部５とを備えており、レポート出力部５から出力されたレポートがレポート格納部６に格納されるようになっている。
【００１１】
ＣＡＥ処理部３１により通常のＣＡＥ解析が実行された後に、ＣＡＥプログラムが入力部２よりレポートを出力する旨の情報を受け取ると、３次元ビューイングファイル出力部４により、ＣＡＥ結果が３次元ビューイングに対応したフォーマットファイル出力されると同時に、レポート出力部５により、３次元ビューイングファイルを３次元ビューイング可能とする記述でレポートファイルとして出力される。出力されたレポートは表示部１に表示されると共に、レポート格納部６に格納される。このようにして表示部１に表示されたレポートのＣＡＥ結果図は３次元ビューイングすることができる。
【００１２】
次に、上記構成のＣＡＥシステムによる解析手順について説明する。
【００１３】
ＣＡＥ処理部３１に関しては、線形の構造解析を例として特許文献２のソフトで図２に基づいて説明する。
【００１４】
図２は、入力部２による入力操作に従い、ＣＡＥプログラム格納部３に格納されている入力画面表示プログラムに従って表示部１に順次表示される解析対象物の形状モデルを表示するモデル表示画面１００Ａと、解析手順を表示するメニュー画面２００Ａとの基本配置構成例を示している。基本的には、モデル画面１００Ａの右側に各種メニュー画面２００Ａが並んだ形で配置されている。
【００１５】
メニュー画面２００Ａは、基本的に３段構成となっており、上段が、どの段階まで解析手順の操作が進んだかを表示するステップ表示窓２０１Ａ、中段が、解析手順の内容を表示するための表示窓（ナビゲーションウィンドウ）２０２Ａ、下段が、各種の数値や文字等を入力する入力窓２０３Ａとなっている。
【００１６】
ここで、解析手順プログラムは、データベースを開くステップから始まり、形状作成ステップ、メッシュ分割ステップ、材料特性値の設定ステップ、固定条件の設定ステップ、負荷条件の設定ステップ、解析実行ステップ、結果表示ステップ、の各ステップからなっている。
【００１７】
次に、上記構成のＣＡＥシステムによる解析手順について説明する。
【００１８】
まず、解析対象となる形状モデルを準備する。すなわち、図２に示すメニュー画面２００Ａの入力窓２０３Ａから、読み込むＣＡＤファイルを選択する。
【００１９】
次に、メッシュを作成する。すなわち、図３に示すメッシュ分割画面２００Ｂのナビゲーションウィンドウ２０２Ｂに表示されている説明内容に従い、解析に必要なメッシュを作成する。ここでは、入力窓２０３Ｂに平均要素長を入力することで自動的にメッシュが作成される。
【００２０】
次に、材料を選択する。すなわち、図４に示す材料物性値選択画面２００Ｃのナビゲーションウィンドウ２０２Ｃに表示されている材料名の一覧から、その材料のヤング率、ポアソン比、質量密度などのデータを参照して、最適な材料を選択する。すなわち、選択する材料名のところにカーソルを移動させてクリックすると、その材料が選択される。
【００２１】
次に、固定する面を選択し、固定方向をチェックする。すなわち、図５に示す固定条件設定画面２００Ｄのナビゲーションウィンドウ２０２Ｄに表示されている説明内容に従い、固定条件を選択する。例えば、３次元ソリッドモデルが表示されている左側の画面上で、固定する面を選択し、入力窓２０３Ｄで固定方向をチェックする（この例では、Ｘ，Ｙ，Ｚの全ての方向にチェックが入っている）。
【００２２】
次に、負荷条件を設定する。すなわち、図６に示す負荷条件設定画面２００Ｅのナビゲーションウィンドウ２０２Ｅに表示されている説明内容に従い、負荷条件を選択する。例えば、「面に強制変位を与える」を選択する場合、３次元ソリッドモデルが表示されている左側の画面上で、強制変位を与える面を選択し、入力窓２０３Ｅで変位の方向を指定し、変位量を入力する。
【００２３】
次に、解析を実行する。図７に示す解析実行画面２００Ｆのナビゲーションウィンドウ２０２Ｆに表示されている説明内容に従い、解析手法を選択し、入力窓２０３Ｆに実行に使用するメモリ量を入力して解析を実行する。そして、解析を終了すると、表示部１には、図８に示すように、解析計算終了後の解析結果が表示される。図８では変位分布を表示している。
【００２４】
最後に、解析結果レポートを出力する。図９では、入力窓２０３Ｈにレポート検索用の製品名、担当者、キーワードを入力する。そして、図１０に示すレポート出力画面２００Ｉのナビゲーションウィンドウ２０２Ｉからレポート出力を選択すると、３次元ピューイングに対応したフォーマットのフォーマットのファイルを自動で取得し、そのファイルを３次元ビューイング可能とする記述で図１１に示すような解析結果レポートが自動で生成され、表示部１に表示される。この時点で表示部１には、図８に示すような解析結果と図１１に示すような解析結果レポートの両方が表示されていることになる。
【００２５】
このレポートには、どのようなメッシュでＣＡＥが行われたか、どのような材料物性値がＣＡＥの入力に用いられたのかなど、ＣＡＥ準備情報からＣＡＥ計算時間、ＣＡＥ結果まで記載されている。レポートのフォーマットは単なる例であり、図１１に示すフォーマットに限定されるものではない。また、上記特許文献２のソフトでは、利用者がどのような情報をレポートに出力するかを選択することもできる。
【００２６】
ＣＡＥ結果としては、数値情報と結果図とが記載されており、図１１に示すＣＡＥ結果図をマウスなどでクリックおよびドラッグすると、結果図が回転、拡大、縮小、移動などし、３次元ビューイングが可能となる。回転後の表示を図１２に、拡大後の表示を図１３に示す。レポートによる３次元ビューイングも、図８に示す解析結果に基づいた３次元ビューイングも同様のことができる。また、今回は結果図のみを記載しているが、結果図に限らずメッシュ図や条件図なども記載してレポート上で３次元ビューイングすることも可能である。
【００２７】
出力されたレポートのソースファイルを図１４に示す。本実施形態ではｈｔｍｌ形式で出力しているが、これに限定されるものではない。
【００２８】
ソースファイル中のＣＡＥ結果図のフォーマットは、本実施形態ではＨＳＦフォーマット（テックソフトアメリカ社が開発したソフトウェアＨＯＯＰＳで採用されている標準フォーマット）を採用しているが、これに限定されるものではない。
【００２９】
また、解析結果レポートで３次元ビューイングできることで、以下に示す（１）〜（５）のような効果が期待できる。
【００３０】
（１）図８に示すような解析結果を保有しているＣＡＥデータファイルで結果を見る場合、ＣＡＥの入力情報や計算時間が一目では分からないため、ソフトを操作して自分で探す必要があるが、レポートには全ての情報が記載されているため、一目で理解できる。特に他人が行ったＣＡＥ結果を見る場合にこの効果は大きい。
【００３１】
（２）図８に示すような解析結果を保有しているＣＡＥデータファイルで結果を見る場合、ＣＡＥソフトがインストールされている必要があるが、レポートはｈｔｌｍファイルを表示できる環境さえあれば、特殊なソフトをインストールすることなく、結果を見ることができる。
【００３２】
（３）図８に示すような解析結果を保有しているＣＡＥデータファイルで結果を見る場合、ＣＡＥソフトの保有ライセンス数しか同時には利用できないが、レポートはライセンス数に制限無く、多数の人が同時に結果を見ることができる。
【００３３】
（４）レポートの容量は、通常、図８に示すような解析結果を保有しているＣＡＥデータファイルの約２０分の１〜５０分の１程度（レポートのフォーマットにより異なる）である。従ってり、ＣＡＥデータファイルを破棄し、レポートだけを保管しておくことにより、管理する必要のあるファイル容量を少なくすることができる。
【００３４】
（５）レポートは上記実施形態で示した製品名、担当者、キーワードなどの検索キーで検索することができるため、いつでも簡単に呼び出すことができる。
【図面の簡単な説明】
【００３５】
【図１】本発明の汎用解析システムの一実施の形態による構成を概念的に示したブロック図である。
【図２】ＣＡＤファイルの読み込み画面例を示す説明図である。
【図３】メッシュ分割画面例を示す説明図である。
【図４】材料物性値選択画面例を示す説明図である。
【図５】固定条件設定画面例を示す説明図である。
【図６】負荷条件設定画面例を示す説明図である。
【図７】解析実行画面例を示す説明図である。
【図８】解析結果画面例を示す説明図である。
【図９】レポート出力画面例を示す説明図である。
【図１０】レポート出力画面例を示す説明図である。
【図１１】レポート出力画面例を示す説明図である。
【図１２】図１１に示す解析結果図を回転後の表示例を示す説明図である。
【図１３】回転後の解析結果図の一部を拡大した表示例を示す説明図である。
【図１４】出力されたレポートのソースファイルの一例を示す説明図である。
【符号の説明】
【００３６】
１  表示部
２  入力部
３  ＣＡＥプログラム格納部
３１  ＣＡＥ処理部
４  ３次元ビューイングファイル出力部
５  レポート出力部
６  レポート格納部
【図１】
2006079539.tif 000003
【図２】
2006079539.tif 000004
【図３】
2006079539.tif 000005
【図４】
2006079539.tif 000006
【図５】
2006079539.tif 000007
【図６】
2006079539.tif 000008
【図７】
2006079539.tif 000009
【図８】
2006079539.tif 000010
【図９】
2006079539.tif 000011
【図１０】
2006079539.tif 000012
【図１１】
2006079539.tif 000013
【図１２】
2006079539.tif 000014
【図１３】
2006079539.tif 000015
【図１４】
2006079539.tif 000016